(57)【要約】      （修正有）【課題】埃の粒を吸付でき、吸付部にある独自の伸縮特色により細かい沙粒や埃及び髪の毛が収集され、快速的に掃除でき、使用上、より省力的になり、耐用性が向上され、より良い掃除効果が得られる清潔用ブランケット構造を提供する。【解決手段】弾性ある柔軟毛からなる集塵体と、グリップを有する嵌合座とからなる清潔道具であって、該嵌合座の一側に、集塵体を枢着するための開口端が設けられ、該開口端の内部に、若干の係止穴を有する接合ブロックが設けられ、集塵体の表面に、弾性ある柔軟毛の分布を確実に均等するための集結部と固定棒が設けられ、柔軟度を有する密集毛面が形成される。【選択図】図１
0003142975.tif 000002
【実用新案登録請求の範囲】
【請求項１】
弾性ある柔軟毛からなる集塵体と、グリップを有する嵌合座とからなる清潔道具であって、
該嵌合座の一側に、集塵体を枢着するための開口端が設けられ、該開口端の内部に、若干の係止穴を有する接合ブロックが設けられ、集塵体の表面に、弾性ある柔軟毛の分布を確実に均等するための集結部と固定棒が設けられ、また、弾性ある柔軟毛の各毛体の間に、若干の独自の吸付部が設けられる、
ことを特徴とする清潔用ブランケット構造。
【請求項２】
嵌合座の接合ブロックが、Ｕ文字状に形成されることを特徴とする請求項１に記載の清潔用ブランケット構造。
【請求項３】
集塵体の弾性ある柔軟毛が、ウールライク材質によりフロック状に形成されることを特徴とする請求項１に記載の清潔用ブランケット構造。
【請求項４】
集塵体の集結部が、一つや二つ以上の超音波粘着や織り固定或いは電熱圧着により弾性ある柔軟毛の表面に形成されることを特徴とする請求項１に記載の清潔用ブランケット構造。
【請求項５】
固定棒が、鉄線等のフレキシブル線材であることを特徴とする請求項１に記載の清潔用ブランケット構造。
【請求項６】
嵌合座の開口端の内部に、集塵体とグリップに合わせて、若干の係合歯が配列される係合段が形成され、また、係合段において、上へ向かう一側に、固定棒を係止するための結合段が形成され、そして、嵌合座の両側の端面に、それぞれ、若干の対向する、フレキシブル線材である固定棒を結合固定するための貫通穴が貫設されることを特徴とする請求項１に記載の清潔用ブランケット構造。
【請求項７】
集塵体が、各種類の横方向にグリップを有する嵌合座に合わせて形成され、横方向に設置されて使用されるブランケットであることを特徴とする請求項１に記載の清潔用ブランケット構造。
【請求項８】
嵌合座の開口端の内部において、両側に、それぞれ、圧迫槽が設けられ、また、中段に、集塵体とグリップに合わせて係合段が設けられ、また、］状で両側に係合端が設けられる固定棒があり、圧迫槽の一側面の対向する箇所に、それぞれ、係合端に抵当して位置付けの係止ブロックが設けられることを特徴とする請求項１に記載の清潔用ブランケット構造。
【請求項９】
集塵体の弾性ある柔軟毛は、嵌合座に合わせて適当な長さを有し、また、嵌合座の開口端において、対向する両側に、それぞれ、横方向の面が小さく係止穴を有する接合ブロックが設けられ、中段において、若干の縦方向の面が大きく係止穴を有する接合ブロックが設けられ、該弾性ある柔軟毛の表面に、フレキシブル線材の固定棒に合わせて、長さが同じである集結部が、予めに設置されることを特徴とする請求項１に記載の清潔用ブランケット構造。
【請求項１０】
弾性ある柔軟毛は、固定棒に巻き付くための巻き付き部が設けられ、嵌合座の開口端の内面の両側に粘着固定される、両端に結合端を有する集塵体が形成されることを特徴とする請求項１に記載の清潔用ブランケット構造。
【請求項１１】
集塵体の弾性ある柔軟毛は、竹炭材質であることを特徴とする請求項１に記載の清潔用ブランケット構造。
【請求項１２】
嵌合座の接合ブロックに、先端が狭く末端が広い係止穴が設けられることを特徴とする請求項１に記載の清潔用ブランケット構造。
【考案の詳細な説明】
【技術分野】
【０００１】
本考案は、清潔用ブランケット構造に関し、特に、弾性ある柔軟毛から作製される集塵体と、嵌合座に合わせて成型される接合ブロックとを備る清潔道具で、また、該弾性ある柔軟毛の各毛体間に、若干の独自の吸付部が設けられ、柔軟度を有する密集毛面を有するものに関する。
【背景技術】
【０００２】
一般の従来の箒は、天然芒草や人造繊維からなるフロックと集結部及び握り棒を結合して成型され、フロックの回復弾性により、ゴミや埃を掃き、従来の箒のフロックは、緊密に結び付き、起立式硬い毛より、それにより、フロック弾性でゴミを掃く時、地面の埃に接触すると、容易に、力を入れ過ぎたり、往復に掃きたりすることにより、埃が空を飛ぶようになり、そのため、ユーザーの気持ちが悪くなり、健康に良くなくなる。
【０００３】
本考案者は、上記の欠点を改善するため、慎重に研究開発し、そして、学理を活用して、設計が合理的で有効に上記の欠点を改善できる本考案を提案する。
【考案の開示】
【考案が解決しようとする課題】
【０００４】
本考案の主な目的は、弾性ある柔軟毛から作製される集塵体と、嵌合座に合わせて成型される接合ブロックとを備る清潔道具で、また、該弾性ある柔軟毛の各毛体間に、若干の独自の吸付部が設けられ、柔軟度を有する密集毛面を有し、埃の粒を吸付収集し、独自の網状の吸付部により、細かい沙粒や埃及び髪の毛などを弾性ある柔軟毛上に付着させ、埃が空を飛ぶことを防止でき、最も良い使用状態になる清潔用ブランケット構造を提供する。
【０００５】
本考案の他の目的は、集塵体の弾性ある柔軟毛の中心に設けられる集結部と固定棒との設計により、集塵体を、異なる性質である接合ブロックを有する嵌合座に結合でき、これにより、いつでも、任意に、各種類の清潔道具に組み立てることができて、箒主体や横方向に設置されて使用されるブランケットが形成され、そのため、異なる性質の清潔作業が、便利になり、また、製品の市場競争力が向上される清潔用ブランケット構造を提供する。
【課題を解決するための手段】
【０００６】
請求項１の考案は、弾性ある柔軟毛からなる集塵体と、グリップを有する嵌合座とからなる清潔道具であって、該嵌合座の一側に、集塵体を枢着するための開口端が設けられ、該開口端の内部に、若干の係止穴を有する接合ブロックが設けられ、集塵体の表面に、弾性ある柔軟毛の分布を確実に均等するための集結部と固定棒が設けられ、また、弾性ある柔軟毛の各毛体の間に、若干の独自の吸付部が設けられる、ことを特徴とする清潔用ブランケット構造である。
【０００７】
請求項２の考案は、嵌合座の接合ブロックが、Ｕ文字状に形成されることを特徴とする請求項１に記載の清潔用ブランケット構造である。
【０００８】
請求項３の考案は、集塵体の弾性ある柔軟毛が、ウールライク材質によりフロック状に形成されることを特徴とする請求項１に記載の清潔用ブランケット構造である。
【０００９】
請求項４の考案は、集塵体の集結部が、一つや二つ以上の超音波粘着や織り固定或いは電熱圧着により弾性ある柔軟毛の表面に形成されることを特徴とする請求項１に記載の清潔用ブランケット構造である。
【００１０】
請求項５の考案は、固定棒が、鉄線等のフレキシブル線材であることを特徴とする請求項１に記載の清潔用ブランケット構造である。
【００１１】
請求項６の考案は、嵌合座の開口端の内部に、集塵体とグリップに合わせて、若干の係合歯が配列される係合段が形成され、また、係合段において、上へ向かう一側に、固定棒を係止するための結合段が形成され、そして、嵌合座の両側の端面に、それぞれ、若干の対向する、フレキシブル線材である固定棒を結合固定するための貫通穴が貫設されることを特徴とする請求項１に記載の清潔用ブランケット構造である。
【００１２】
請求項７の考案は、集塵体が、各種類の横方向にグリップを有する嵌合座に合わせて形成され、横方向に設置されて使用されるブランケットであることを特徴とする請求項１に記載の清潔用ブランケット構造である。
【００１３】
請求項８の考案は、嵌合座の開口端の内部において、両側に、それぞれ、圧迫槽が設けられ、また、中段に、集塵体とグリップに合わせて係合段が設けられ、また、］状で両側に係合端が設けられる固定棒があり、圧迫槽の一側面の対向する箇所に、それぞれ、係合端に抵当して位置付けの係止ブロックが設けられることを特徴とする請求項１に記載の清潔用ブランケット構造である。
【００１４】
請求項９の考案は、集塵体の弾性ある柔軟毛が、嵌合座に合わせて適当な長さを有し、また、嵌合座の開口端において、対向する両側に、それぞれ、横方向の面が小さく係止穴を有する接合ブロックが設けられ、中段において、若干の縦方向の面が大きく係止穴を有する接合ブロックが設けられ、該弾性ある柔軟毛の表面に、フレキシブル線材の固定棒に合わせて、長さが同じである集結部が、予めに設置されることを特徴とする請求項１に記載の清潔用ブランケット構造である。
【００１５】
請求項１０の考案は、弾性ある柔軟毛に、固定棒に巻き付くための巻き付き部が設けられ、嵌合座の開口端の内面の両側に粘着固定される、両端に結合端を有する集塵体が形成されることを特徴とする請求項１に記載の清潔用ブランケット構造である。
【００１６】
請求項１１の考案は、集塵体の弾性ある柔軟毛が、竹炭材質であることを特徴とする請求項１に記載の清潔用ブランケット構造である。
【００１７】
請求項１２の考案は、嵌合座の接合ブロックに、先端が狭く末端が広い係止穴が設けられることを特徴とする請求項１に記載の清潔用ブランケット構造である。
【考案を実施するための最良の形態】
【００１８】
本考案の最も良い実施例は、次の通りである。図１のように、本考案は、弾性ある柔軟毛１１（竹炭材質である）からなる集塵体１０と、グリップ２１を有する嵌合座２０から形成される清潔道具で、該嵌合座２０の一側に、集塵体１０が嵌合されるための開口端２０１が形成され、開口端２０１の内部に、若干のＵ文字状で且つ係止穴２２１を有する接合ブロック２２が設けられ、該弾性ある柔軟毛１１は、ウールライク材質によりフロック状に形成され、また、中心に、一つや二つの超音波粘着や織り固定或いは電熱圧着により形成され、弾性ある柔軟毛１１分布を確実に均等し、固定棒１２に合わせる集結部１１１が形成され、これにより、弾性ある柔軟毛１１の上下両側が、均一的に拡張するようになり、また、弾性ある柔軟毛１１の各毛体の間に、若干の独自の網状である吸付部１１２（図２のように）が設けられるため、柔軟度を有する密集毛面を有し、そのため、埃の粒を吸付でき、また、該吸付部１１２にある独自の網状の伸縮特色により、固定棒１２が、集結部１１１に抵当して、弾性ある柔軟毛１１の上下が一致し、固定棒１２が、弾性ある柔軟毛１１の内面の間に隠れられ、そのため、弾性ある柔軟毛１１の集結部１１１表面に、接合ブロック２２の係止穴２２１内に嵌合する棒形突出段が形成され、また、開口端２０１（図３のように）に位置して、嵌合座２０に嵌合固定され、上記のことにより、集塵体１０が、地面のゴミに接触する時、弾性ある柔軟毛１１の吸付部１１２にある独自の網状設計により、弾性ある柔軟毛１１が拡張して、ゴミが、その間に収納され、同時に、弾性ある柔軟毛１１が、更に圧迫されると、吸付部１１２で、ゴミと埃を掃くことができ、これにより、地面を掃くことにより、埃によって空気が汚染され、また、該集塵体１０により、細かい沙粒や埃及び髪の毛が収集され、快速的に掃除でき、また、使用上、より省力的になり、そして、耐用性が向上され、より良い掃除効果が得られる。
【００１９】
また、集塵体１０は、係合段３２の嵌合座３０とグリップ３１があり（図４のように）、該係合段３２の内面に、対向するように若干の係合歯３２１が並列され、嵌合座３０の両側端面に、それぞれ、若干の対向する貫通穴３０１が貫設され、それに、フレキシブル線材である鉄線の固定棒１２’が貫設され、また、係合歯３２１に沿って上へ向かうように、弾性ある柔軟毛１１の内面の固定棒１２’を挟み持つ結合段３３が設けられ、これにより、弾性ある柔軟毛１１の集結部１１１と固定棒１２’が互いに抵当して内面に隠れられ、固定棒１２’の両端が、両側貫通穴３０１に貫通して結合固定され、集結部１１１と固定棒１２’が、結合段３３に隠されて位置付けられ（図５のように）、上記の構造により、起立式に使用される箒が形成される。
【００２０】
また、集塵体１０は、異なる性質で、グリップ５１、６１を有する嵌合座５０、６０からなり、該嵌合座５０、６０の開口端５０１、６０１の内部に、若干の係止穴５２１、６２１を有する接合ブロック５２、６２が設けられ（図６と図８のように）、これにより、固定棒１２が集結部１１１に抵当することにより、弾性ある柔軟毛１１が上下に対向して抵当し、固定棒１２が、弾性ある柔軟毛１１の内面の間に隠されて接合ブロック５２、６２の係止穴５２１、６２１に係合し（図７と図９のように）、これにより、横方向に設置されて使用できる清潔ブランケットが形成され、また、該弾性ある柔軟毛１１の集結部１１１は、フレキシブル線材である鉄線を有する固定棒１２’であってもよく（図１０のように）、直接に、固定棒１２’に巻きつく弾性ある柔軟毛１１を直接に接合ブロック６２の係止穴６２１に押し込んで固定し（図１１のように）、もう一つの清潔用のブランケット主体を形成してもよく、これにより、いつでも、任意に、各種類の清潔道具に組み立てることができて、箒主体や横方向に設置されて使用されるブランケットが形成され、そのため、異なる性質の清潔作業が、便利になる。
【００２１】
また、集塵体１０は、両側にそれぞれ設けられる圧迫槽７２と、中段に設置される係合段７３の嵌合座７０と（図１２のように）、グリップ７１と、から構成され、また、］状で両側に係合端７４１が設けられる固定棒７４があり、圧迫槽７２の一側面の対向する箇所に、それぞれ、係合端７４１に抵当して位置づけの係止ブロック７２１が設けられ、これにより、固定棒７４が、集結部１１１に抵当して、弾性ある柔軟毛１１が上下に抵当するようになり、両側の係合端７４１が、圧迫槽７２内において、係止ブロック７２１によって推されて位置付けになり（図１３のように）、そのため、各種類の集塵体１０が組み立てられる嵌合座７０が形成され、市場競爭力が向上される。
【００２２】
また、図１４を参照しながら、嵌合座５０’の開口端５０１の内部の両側において、横方向に、また、中段において、縦方向に、それぞれ、若干の係止穴５２１を有する接合ブロック５２が設けられ、また、集塵体１０’の弾性ある柔軟毛１１’は、適当な長さで、弾性ある柔軟毛１１’の表面に、フレキシブル線材である鉄線を有する固定棒１２’に合わせて同じ長さである集結部１１１’が形成され、それが、各接合ブロック５２の係止穴５２１に押し込まれて位置付けられ（図１５のように）、これにより、もう一つの集塵体１０の嵌合座７０が形成される。
【００２３】
図１６を参照しながら、集塵体１０”の弾性ある柔軟毛１１”は、、、フレキシブル線材である鉄線を有する固定棒１２’に巻き付き、両端に、結合端１２１を有する集塵体１０”を形成し、集塵体１０”の両端の結合端１２１に、粘着物が充填されて嵌合座２０の開口端２０１の内面の両側に粘着することができ、これにより、各接合ブロック２２の係止穴２２１に係合されて位置付けられ、集塵体１０”によれば、巻き付く弾性ある柔軟毛１１”により、簡単に大量の沙粒や埃及び髪の毛を掃くことができ、そのため、製品の経済利益が向上される。
【００２４】
図１７を参照しながら、嵌合座２０’の接合ブロック２２’に、先端が狭く末端が広い係止穴２２１’が設けられ、また、弾性ある柔軟毛１１は、二つ以上の集結部１１１であり、集塵体１０が、該嵌合座２０’に組み立てられると、集塵体１０により、固定棒１２に合わせて、弾性ある柔軟毛１１により形成される棒形突出段が、接合ブロック２２’の係止穴２２１’内に係合され、そして、フレキシブル線材である鉄線を有する固定棒１２’に合わせて（図１８のように）、弾性ある柔軟毛１１内面に低頭する固定棒１２が、先端が狭く末端が広い係止穴２２１’の圧迫により、確実に固定され、同時に、弾性ある柔軟毛１１にある二つ以上の集結部１１１により、上下に対向するように、開口端２０１の内部に抵当し、そのため、よりスムーズに且つ一致になり（図１９のように）、これにより、集塵体１０の完整性を維持でき、変形することがなく耐用寿命が向上される。
【００２５】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２６】
【図１】本考案の立体分解図
【図２】本考案の弾性ある柔軟毛の局部拡大図
【図３】本考案の組立て断面図
【図４】本考案の他の立体分解図
【図５】本考案の他の組立て断面図
【図６】本考案の実施例の立体分解図１
【図７】図６の組立て断面図
【図８】本考案の実施例の立体分解図２
【図９】図８の組立て断面図
【図１０】本考案の実施例の立体分解図３
【図１１】図１０の組立て断面図
【図１２】本考案の実施例の立体分解図４
【図１３】図１２の組立て断面図
【図１４】本考案の実施例の立体分解図５
【図１５】図１４の組立て立体図
【図１６】本考案の実施例の立体分解図６
【図１７】本考案の実施例の立体分解図７
【図１８】本考案の実施例の立体分解図８
【図１９】図１８の組立て断面図
【符号の説明】
【００２７】
１０、１０’、１０”集塵体
１１、１１’、１１”弾性ある柔軟毛
１１１、１１１’    集結部
１１２              吸付部
１２、１２’        固定棒
１２１              結合端
２０、２０’        嵌合座
２０１              開口端
２１                グリップ
２２、２２’        接合ブロック
２２１、２２１’    係止穴
３０                嵌合座
３０１              貫通穴
３１                グリップ
３２１              係合歯
３２                係合段
３３                結合段
５０、５０’        嵌合座
５０１              開口端
５１                グリップ
５２                接合ブロック
５２１              係止穴
６０                嵌合座
６０１              開口端
６１                グリップ
６２                接合ブロック
６２１              係止穴
７０                嵌合座
７１                グリップ
７２                圧迫槽
７２１              係止ブロック
７３                係合段
７４                固定棒
７４１              係合端
【図１】
0003142975.tif 000003
【図２】
0003142975.tif 000004
【図３】
0003142975.tif 000005
【図４】
0003142975.tif 000006
【図５】
0003142975.tif 000007
【図６】
0003142975.tif 000008
【図７】
0003142975.tif 000009
【図８】
0003142975.tif 000010
【図９】
0003142975.tif 000011
【図１０】
0003142975.tif 000012
【図１１】
0003142975.tif 000013
【図１２】
0003142975.tif 000014
【図１３】
0003142975.tif 000015
【図１４】
0003142975.tif 000016
【図１５】
0003142975.tif 000017
【図１６】
0003142975.tif 000018
【図１７】
0003142975.tif 000019
【図１８】
0003142975.tif 000020
【図１９】
0003142975.tif 000021